(57)【要約】【課題】テークアップ機構を備えたフライトコンベヤ装置において、コンベヤケースのテールケースから臭気、液体、微粉等が漏れ出すのを防止できるようにすることを目的とする。【解決手段】フライトコンベヤ装置１のテールケース３の内部に、残留防止板９、テークアップスピンドル１８を有するテークアップ機構１０が設けられる。テークアップ機構１０を構成するスプロケット５の支持軸保持部材１３と残留防止板９とが取り付けられた連結部材１４及び牽引部材１６等がテールケース３の側壁板３ａ内面に設けられた凹溝ガイド３ｃ内に移動可能に設けられる。テークアップ機構１０を構成する部材がテールケース３の内部に外部と遮断して密閉状態で収納されているため、テールケース３から臭気、液体、微粉等が漏れ出さないようになる。【選択図】図１
2010018387.tif 000002
【特許請求の範囲】
【請求項１】
無端状のチェーンにフライトが多数取り付けられたフライトコンベヤが、コンベヤケースのテールケースに設けられたスプロケットに巻き掛けられて該コンベヤケース内を循環走行するフライトコンベヤ装置において、
前記テールケースの内部に、前記スプロケットに巻き掛けられたフライトコンベヤのフライト先端部軌跡に倣った湾曲部を有する残留防止板及び前記フライトコンベヤの張力を調整するテークアップスピンドルを有するテークアップ機構が設けられ、
前記テークアップ機構を構成する前記スプロケットの支持軸保持部材が前記テールケースの両側壁板内面に長手方向に亘って設けられた凹溝ガイド内に移動可能に設けられ、前記スプロケットは、テークアップスピンドルにより、前記残留防止板と共に前記テールケースの内部を移動可能であることを特徴とするフライトコンベヤ装置。
【請求項２】
前記テークアップ機構は、前記スプロケットが回転自在に挿着されたスプロケット支持軸の両端に設けられた支持軸保持部材と、該支持軸保持部材が一端に取り付けられるとともに湾曲部を有する残留防止板が他端に取り付けられた連結部材と、該支持軸保持部材と該残留防止板とに取り付けられた牽引部材と、該牽引部材に固定されたナットに一方端が螺合するとともに他方端が前記テールケースの後端板に固定された軸受に前後移動不能で、且つ回転自在に軸支されたテークアップスピンドル等で構成され、
前記テークアップ機構を構成する支持軸保持部材、連結部材及び牽引部材は、前記テールケースの両側壁板内面に長手方向に亘って設けられた凹溝ガイド内を一体となって移動可能に設けられていることを特徴とする請求項１記載のフライトコンベヤ装置。
【発明の詳細な説明】
【技術分野】
【０００１】
本発明は、穀類の粉体、粒体、粉炭、食品、薬品、樹脂ペレット、その他液体を含んだ粉粒体等の搬送物をコンベヤケース内で循環走行するフライトコンベヤにより、コンベヤケースの底板に沿って搬送し、排出口から排出する場合に使用するフライトコンベヤ装置に関する。
【背景技術】
【０００２】
無端状のチェーンにフライトが多数取り付けられたフライトコンベヤが、コンベヤケースのテールケースに設けられたスプロケットに巻き掛けられて該コンベヤケース内を循環走行するフライトコンベヤ装置として、テール部であるコンベヤケースのテールケースに、残留防止板とフライトコンベヤの張力を調整するテークアップ機構とを設けたフライトコンベヤ装置は公知である（例えば、特許文献１，２参照。）。
【０００３】
図５，図６に、従来のフライトコンベヤ装置のテールケースにテークアップ機構が設けられた場合の一例を示し、図５はフライトコンベヤ装置のフライトコンベヤの図示を省略したテール部の正面図、図６は図５のＸ６−Ｘ６矢印方向に見たテール部の軸受部近傍の要部を示す断面図である。
【０００４】
フライトコンベヤ装置２１は、無端状のチェーンにフライトが多数取り付けられたフライトコンベヤ（図示略）が、コンベヤケース２２内に設けられた駆動スプロケット（図示略）とテール部３３のテールケース２４に設けられた従動側のスプロケット２５に巻掛けられて循環走行し、搬送物を搬送する。
【０００５】
テールケース２４には、フライトコンベヤのチェーンが伸びたときなどにスプロケット３４を移動させて張力を調整するためのテークアップ機構２６が設けられている。テークアップ機構２６は、テールケース２４の両側壁板２４ａ，２４ａの外側で、テールケース２４の外部に配置された両外側摺動基板２７，２７と、それぞれの外側摺動基板２７に取り付けられたナット２８に、一方端が螺合するとともに他方端がテールケース２４の後端板２４ｂに固定されたスピンドル軸受２９に軸支されたテークアップスピンドル３０とからなる。外側摺動基板２７には、スプロケット２５の軸２５ａを支持するスプロケット軸受２５ｂが取り付けられる。また、両側壁板２４ａ、２４ａには、スプロケット軸受２５ｂで支持された軸２５ａが外側摺動基板２７と一体となって前後移動できるように、軸２５ａが遊嵌される長孔２４ｃが形成されている。
【特許文献１】特開２００３−２４２５号公報
【特許文献２】特開２００７−２０４２１０号公報
【発明の開示】
【発明が解決しようとする課題】
【０００６】
前記従来のフライトコンベヤ装置２１は、スプロケット２５の軸２５ａを支持するスプロケット軸受２５ｂが、テールケース２４の内部に収納されないで、テールケース２４の外側に配置された外側摺動基板２７に取り付けられているため、長孔２４ｃ、スプロケット軸受２５ｂ近傍の隙間などから、臭気、液体、微粉等がテールケース２４外部に漏れ出す、という問題がある。
【０００７】
そこで、本発明は前記問題を解決し、残留防止板及びテークアップ機構を備えたフライトコンベヤ装置において、コンベヤケースのテールケースから臭気、液体、微粉等が漏れ出すのを防止できるようにすることを目的とする。
【課題を解決するための手段】
【０００８】
請求項１に係る本発明は、前記課題を解決するために、無端状のチェーンにフライトが多数取り付けられたフライトコンベヤが、コンベヤケースのテールケースに設けられたスプロケットに巻き掛けられて該コンベヤケース内を循環走行するフライトコンベヤ装置において、前記テールケースの内部に、前記スプロケットに巻き掛けられたフライトコンベヤのフライト先端部軌跡に倣った湾曲部を有する残留防止板及び前記フライトコンベヤの張力を調整するテークアップスピンドルを有するテークアップ機構が設けられ、前記テークアップ機構を構成する前記スプロケットの支持軸保持部材が前記テールケースの両側壁板内面に長手方向に亘って設けられた凹溝ガイド内に移動可能に設けられ、前記スプロケットは、テークアップスピンドルにより、前記残留防止板と共に前記テールケースの内部を移動可能であるフライトコンベヤ装置、という構成としたものである。
【０００９】
請求項２に係る本発明は、前記請求項１に係る本発明のフライトコンベヤ装置において、前記テークアップ機構は、前記スプロケットが回転自在に挿着されたスプロケット支持軸の両端に設けられた支持軸保持部材と、該支持軸保持部材が一端に取り付けられるとともに湾曲部を有する残留防止板が他端に取り付けられた連結部材と、該支持軸保持部材と該残留防止板とに取り付けられた牽引部材と、該牽引部材に固定されたナットに一方端が螺合するとともに他方端が前記テールケースの後端板に固定された軸受に前後移動不能で、且つ回転自在に軸支されたテークアップスピンドル等で構成され、前記テークアップ機構を構成する支持軸保持部材、連結部材及び牽引部材は、前記テールケースの両側壁板内面に長手方向に亘って設けられた凹溝ガイド内を一体となって移動可能に設けられている、という構成としたものである。
【発明の効果】
【００１０】
請求項１に係る本発明のフライトコンベヤ装置によれば、前記テールケースの内部に、前記スプロケットに巻き掛けられたフライトコンベヤのフライト先端部軌跡に倣った湾曲部を有する残留防止板及び前記フライトコンベヤの張力を調整するテークアップスピンドルを有するテークアップ機構が設けられ、前記テークアップ機構を構成する前記スプロケットの支持軸保持部材が前記テールケースの両側壁板内面に長手方向に亘って設けられた凹溝ガイド内に移動可能に設けられ、前記スプロケットは、テークアップスピンドルにより、前記残留防止板と共に前記テールケースの内部を移動可能であるので、テークアップ機構を構成する部材、特に、スプロケットの支持軸保持部材がテールケースの内部に外部と遮断して密閉状態で収納されるため、テールケースから臭気、液体、微粉等が漏れ出すのを防止することができる。
【００１１】
請求項２に係る本発明のフライトコンベヤ装置によれば、請求項１に係る本発明のフライトコンベヤ装置が奏する効果に加えて、前記テークアップ機構は、前記スプロケットが回転自在に挿着されたスプロケット支持軸の両端に設けられた支持軸保持部材と、該支持軸保持部材が一端に取り付けられるとともに湾曲部を有する残留防止板が他端に取り付けられた連結部材と、該支持軸保持部材と該残留防止板とに取り付けられた牽引部材と、該牽引部材に固定されたナットに一方端が螺合するとともに他方端が前記テールケースの後端板に固定された軸受に前後移動不能で、且つ回転自在に軸支されたテークアップスピンドル等で構成され、前記テークアップ機構を構成する支持軸保持部材、連結部材及び牽引部材は、前記テールケースの両側壁板内面に長手方向に亘って設けられた凹溝ガイド内を一体となって移動可能に設けられているので、テークアップ機構を構成する支持軸保持部材、連結部材、牽引部材、テークアップスピンドル等を外部と遮断して密閉状態でテールケースの内部に収納することができると共に、スプロケットと残留防止板とを所定の間隔を維持した状態で移動させることができる。
【発明を実施するための最良の形態】
【００１２】
本発明の実施例を図１〜図４を参照して説明する。図１はフライトコンベヤ装置のテール部の正面図、図２はフライトコンベヤ装置のテール部の平面図、図３は図１におけるＸ３−Ｘ３矢印方向に見たフライトコンベヤの図示を省略した断面図、図４は図１のＸ４−Ｘ４矢印方向に見た断面図である。
【００１３】
フライトコンベヤ装置１は、コンベヤケース内に設けられた駆動スプロケット（図示略）と、コンベヤケースのテール部２に備えられているテールケース３に設けられた従動側のスプロケット５とに巻き掛けられたフライトコンベヤ６がコンベヤケース内を循環走行することにより、穀類の粉体、粒体、粉炭、食品、薬品、樹脂ペレット、その他液体を含んだ粉粒体等の搬送物を搬送するものである。このフライトコンベヤ６は、一対の無端状チェーン７に、多数のフライト（掻き板、スクレーパともいう。）８を掛け渡して固定することにより形成されたものである。
【００１４】
テールケース３の内部には、図１，図２に示すように、スプロケット５近傍で搬送物が滞留しないように、スプロケット５に巻き掛けられたフライトコンベヤ６のフライト８先端部が描く軌跡に倣った湾曲部９ａを有する残留防止板９が設けられ、スプロケット５と残留防止板９とは所定の間隔を維持するようになっている。また、テールケース３の内部には、フライトコンベヤ６のチェーン７が伸びたときに、緩みを吸収して張力を調整したり、メンテナンス時にチェーンを弛ませたりするテークアップ機構１０が設けられている。なお、図１における符号４ａ，４ｂは、テールケース３の側壁板３ａに取り付けられているチェーンガイドである。
【００１５】
スプロケット５はスプロケット支持軸１１に回転自在に挿着され、スプロケット支持軸１１の両端には支持軸保持部材（セットカラーを有する。）１３，１３が固定され、この支持軸保持部材１３は、上下に長尺板１４ａを有する断面コ字状の連結部材１４の一端に固定される。この連結部材１４の他端には、図２に示すように、残留防止板９に固定された取着部材１５が取り付けられる。そして、この支持軸保持部材１３及び連結部材１４は、テークアップ機構１０の一部を構成する。なお、図２，図３における符号１２ａはフッ素樹脂が被覆されたスラストワッシャ、１２ｂはスプロケット５間の間隔保持部材である。
【００１６】
支持軸保持部材１３は、前記のように連結部材１４に固定されると共に、牽引部材１６の一端にも固定される。この牽引部材１６には、残留防止板９に取り付けられた取着部材１５が固定され、牽引部材１６の他端には、ナット１７が固定されている。このナット１７には、一方端にねじ部を有するテークアップスピンドル１８が螺合し、テークアップスピンドル１８の他方端（ねじ無し）はテールケース３の後端板３ｂに固定された軸受１９で軸支されている。このテークアップスピンドル１８は、長手方向前後には移動不能であるが、回転自在である。また、取着部材１５には、テークアップスピンドル１８の回転により、牽引部材１６がテールケース３の後端板３ｂ方向に引き寄せられたとき、テークアップスピンドル１８先端が通り抜ける貫通孔１５ａが穿設されている（図４参照。）。
【００１７】
以上のように、テークアップ機構１０は、スプロケット５，５が回転自在に挿着されたスプロケット支持軸１１の両端に設けられた支持軸保持部材１３と、支持軸保持部材１３が一端に取り付けられるとともに湾曲部９ａを有する残留防止板９が他端に取り付けられた連結部材１４と、支持軸保持部材１３と残留防止板９とに取り付けられた牽引部材１６と、牽引部材１６に固定されたナット１７に一方端が螺合するとともに他方端がテールケース３の後端板３ｂに固定された軸受１９に前後移動不能で、且つ回転自在に軸支されたテークアップスピンドル１８とで構成されている。
【００１８】
テールケース３の両側壁板３ａ，３ａ内面に長手方向に亘ってそれぞれ凹溝ガイド３ｃが設けられる。この凹溝ガイド３ｃは、図３，図４に示すように、側壁板３ａのプレス加工により形成したものであるが、側壁板３ａに単品の凹溝ガイドを取り付けるようにしても構わない。
【００１９】
テークアップ機構１０を構成する支持軸保持部材１３、連結部材１４、残留防止板９に固定された取着部材１５及び牽引部材１６等は、テールケース３の側壁板３ａに設けられた凹溝ガイド３ｃ内に配置され、テークアップスピンドル１８の回転により、凹溝ガイド３ｃ内を一体となって移動可能に設けられている。
【００２０】
以上、フライトコンベヤ装置１の構成について説明したが、以下作用効果を説明する。フライトコンベヤ６の循環走行によりチェーン７が伸びて弛みが生じたとき、テークアップ機構１０のテークアップスピンドル１８を回転させることにより、スプロケット５及び残留防止板９をテールケース３の後端板３ｂ方向に移動させ、フライトコンベヤ６の弛みを解消する。
【００２１】
この場合、テークアップ機構１０を構成する支持軸保持部材１３、連結部材１４、残留防止板９に固定された取着部材１５及び牽引部材１６等は、テールケース３の側壁板内面に設けられた凹溝ガイド３ｃに配置されているため、テークアップスピンドル１８の回転により、スプロケット５と残留防止板９とを所定の間隔を維持した状態で連動して移動させることができる。
【００２２】
さらに、スプロケット支持軸１１の支持軸保持部材１３、連結部材１４、牽引部材１６、テークアップスピンドル１８等のテークアップ機構１０を構成する部材をテールケース３の内部に外部と遮断して密閉状態で収納することができ、特に、支持軸保持部材１３がテールケース３の外部に露出しないようにすることができ、その結果、フライトコンベヤ６の走行中にテールケース３から、臭気、液体、微粉等がテールケース３の外部に漏れ出すのを防止することができる。
【００２３】
以上、フライトコンベヤ装置の実施例として、テークアップ機構が、牽引部材１６の他端に固定したナット１７にテークアップスピンドル１８の一方端のねじ部を螺合し、テークアップスピンドル１８の回転により、スプロケット５及び残留防止板９を固定した牽引部材１６をテールケース後端板３ｂ側に移動させる構成のものについて説明したが、かかる構成のもの以外に、第１変形例（図示略）として、牽引部材１６にテークアップスピンドル（１８）の一方端を回転自在に、且つ抜け出さないように装着し、テークアップスピンドル（１８）の他方端に形成したねじ部をテールケース３の後端板３ｂに固定したナットに螺合させても構わない。あるいは、第２変形例（図示略）として、牽引部材１６にテークアップスピンドル（１８）の一方端を固定し、テークアップスピンドル（１８）の他方端に形成したねじ部に、テールケース３の後端板３ｂ外側に設けた回転ナット（蝶ナットなど）を螺合させても構わない。
【００２４】
上記第１変形例の場合、テークアップスピンドルを回転させてテールケース３の後端板３ｂの外側に突出するように移動させ、牽引部材１６を後端板３ｂ側に引き寄せるようにし、また、第２変形例の場合、回転ナットを回転させてテークアップスピンドルをテールケース３の後端板３ｂの外側に突出するように移動させ、牽引部材１６を後端板３ｂ側に引き寄せるようにする。いずれの場合も、テークアップスピンドルがテールケース３の後端板３ｂ外側に突出移動することにより、スプロケット５及び残留防止板９をテールケース３の後端板３ｂ側に移動させることができる。
【００２５】
また、スプロケット５はスプロケット支持軸１１に回転自在に挿着され、スプロケット支持軸１１の両端には支持軸保持部材１３が固定され、この支持軸保持部材１３は、連結部材１４の一端に固定されるものとしたが、他の変形例として、スプロケット５をスプロケット支持軸（１１）に固定し、スプロケット支持軸（１１）の両端を軸受となる支持軸保持部材（１３）で回転自在に支持し、この支持軸保持部材（１３）を連結部材１４の一端に固定するようにしても構わない。上記いずれの変形例の場合も、支持軸保持部材（１３）はテールケース３の外部に露出することなくテールケース３内に収納されているため、テールケース３から、臭気、液体、微粉等が外部に漏れ出すのを防止することができる。
【図面の簡単な説明】
【００２６】
【図１】本発明実施例のフライトコンベヤ装置のテール部の正面図である。
【図２】フライトコンベヤ装置のテール部の平面図である。
【図３】図１におけるＸ３−Ｘ３矢印方向に見たフライトコンベヤの図示を省略した断面図である。
【図４】図１のＸ４−Ｘ４矢印方向に見た断面図である。
【図５】従来のフライトコンベヤ装置のフライトコンベヤの図示を省略したテール部の正面図である。
【図６】図５のＸ６−Ｘ６矢印方向に見たテール部のスプロケット軸受近傍の要部を示す断面図である。
【符号の説明】
【００２７】
１      フライトコンベヤ装置          ２      コンベヤケースのテール部
３      テールケース                  ３ａ    テールケースの側壁板
３ｂ    テールケースの後端板          ３ｃ    凹溝ガイド
４ａ，４ｂ    チェーンガイド          ５      スプロケット
６      フライトコンベヤ              ７      チェーン
８      フライト                      ９      残留防止板
９ａ    湾曲部                        １０    テークアップ機構
１１    スプロケット支持軸            １２ａ  スラストワッシャ
１２ｂ  間隔保持部材                  １３    支持軸保持部材
１４    連結部材                      １４ａ  長尺板
１５    取着部材                      １５ａ  貫通孔
１６    牽引部材                      １７    ナット
１８    テークアップスピンドル        １９    軸受
【図１】
2010018387.tif 000003
【図２】
2010018387.tif 000004
【図３】
2010018387.tif 000005
【図４】
2010018387.tif 000006
【図５】
2010018387.tif 000007
【図６】
2010018387.tif 000008